(57)【要約】【課題】画面の確認、コマンド入力、操作入力等を簡単に行うことのできる電話端末を提供する。【解決手段】記憶部１５は、検出物の特徴に対応した携帯電話１の操作コマンドを操作情報２１として記憶する。タッチパネルを備えた検出部１３が、タッチパネルに接触或いは近接する検出物を検出し、当該検出物の特徴を解析して制御部１１に通知する。制御部１１は、記憶部１５の操作情報２１を参照し、通知された当該検出物の特徴に対応する操作コマンドを実行する。【選択図】図１
2011205417.tif 000002
【特許請求の範囲】
【請求項１】
タッチパネルを備え、前記タッチパネルに接触或いは近接する検出物を検出し、前記検
出物の特徴を解析する検出部と、
前記検出物の特徴に対応した操作コマンドを操作情報として記憶する操作情報記憶部と
、
前記操作コマンドを実行する制御部と、
を備え、
前記検出部は、前記タッチパネルに接触或いは近接する検出物を検出し、当該検出物の
特徴を解析して前記制御部に通知し、
前記制御部は、前記操作情報記憶部に記憶された前記操作情報を参照し、前記通知され
た当該検出物の特徴に対応する前記操作コマンドを実行することを特徴とする電話端末。
【請求項２】
前記検出部は、検出した前記検出物の接触位置、接触面積、接触強度を前記検出物の特
徴として解析する
ことを特徴とする請求項１に記載された電話端末。
【請求項３】
前記操作情報記憶部には、前記タッチパネルにユーザの耳を接触させた際の、接触位置
、接触面積、接触強度を示す情報が前記特徴として記憶される
ことを特徴とする請求項１または請求項２に記載された電話端末。
【請求項４】
前記制御部は、電話着信があった際に、前記通知された検出物の特徴に応じて、当該電
話着信に応答する前記操作コマンドを実行する
ことを特徴とする請求項１から請求項３のいずれかに記載された電話端末。
【請求項５】
前記制御部は、電話が未接続である場合に、前記通知された検出物の特徴に応じて、電
話を発信する前記操作コマンドを実行する
ことを特徴とする請求項１から請求項４のいずれかに記載された電話端末。
【請求項６】
前記検出部は、前記タッチパネルに接触或いは近接する前記検出物の移動を検出し、
前記制御部は、前記検出部が前記検出物の移動を検出した場合に、当該移動を示す前記
検出物の特徴に対応した操作コマンドを実行する
ことを特徴とする請求項１から請求項５のいずれかに記載された電話端末。
【請求項７】
前記制御部は、通話中に、前記検出部に前記検出物が検出されない時間が所定時間を超
えると、前記通話を切断する前記操作コマンドを実行する
ことを特徴とする請求項１から請求項６のいずれかに記載された電話端末。
【請求項８】
検出物の特徴に対応した操作コマンドを操作情報として記憶する操作情報記憶部を備え
た端末装置の操作方法であって、
タッチパネルを備える検出部が、前記タッチパネルに接触或いは近接する検出物を検出
し、前記検出物の特徴を解析するステップと、
制御部が、前記操作情報記憶部に記憶された前記操作情報を参照し、前記検出部によっ
て検出された当該検出物の特徴に対応する前記操作コマンドを実行するステップと、
を備えることを特徴とする操作方法。
【発明の詳細な説明】
【技術分野】
【０００１】
本発明は、タッチパネルにより検出した検出物の特徴を用いて、操作を実行する技術に
関する。
【背景技術】
【０００２】
近年、タッチ操作によって入力を受け付けるタッチパネルを備えた装置が多く存在する
。このような装置では、表示部にアイコンや操作メニュー画面等を表示し、操作者がメニ
ュー等を指や手でタッチして選択し、表示部に設けられたタッチパネルは操作者のタッチ
の位置を認識することによって、さまざまな動作を行う（特許文献１、２参照）。また、
操作者の指などの動きをカメラ等で認識し、その動きに対応した操作を行う装置もある。
また、手以外の体の部分を用いた入力を受け付ける装置もある（特許文献３参照）。
【先行技術文献】
【特許文献】
【０００３】
【特許文献１】特開平１０−４００１４号公報
【特許文献２】特開２００９−２５３４７８号公報
【特許文献３】特開平９−２８８５４３号公報
【発明の概要】
【発明が解決しようとする課題】
【０００４】
特許文献１、２に記載されるように、アイコンや操作メニュー画面等を表示部に表示し
、タッチパネルにおいてアイコンやメニューなどを選択する場合、まず画面を目で確認す
ることが必要となり、次にその画面上の位置を指で指定する必要がある。そのためには、
装置を支える手と選択する手が必要となり、多くの場合は両手が空いている必要がある。
例えば、携帯電話で通話する際には、通話動作の前に、登録番号入力によるロック解除な
どの操作が必要となり、行うべき操作も多い。また、指や手でアイコン等を選択し入力操
作する際に誤った入力をする場合もある。このため、操作に不慣れなユーザや、怪我など
により身体に何らかの機能不全が存在する場合などや、年配者、子供等などにとっては、
操作入力が困難な場合があると考えられる。
また、操作者の指などの動きをカメラ等で認識して入力を受け付ける場合、入力結果を
視覚的に確認する必要があり、確認のための処理が煩雑であった。
また、特許文献３に記載されるように、手以外の体の部分を用いた入力を受け付ける場
合、手以外の体の部分による入力専用の入力装置が必要であるという問題もあった。
【０００５】
本発明は、以上の点に鑑みてなされたものであり、タッチパネルを備えた検出部を有す
る端末装置において、入力画面確認やコマンド入力等の必要がなく、検出部で検出した検
出物の特徴に対して予め記憶した操作コマンドを実行する電話端末および操作方法を提供
することを目的とする。
【課題を解決するための手段】
【０００６】
上述した課題を解決するために、本発明は、タッチパネルを備え、前記タッチパネルに
接触或いは近接する検出物を検出し、前記検出物の特徴を解析する検出部と、前記検出物
の特徴に対応した操作コマンドを操作情報として記憶する操作情報記憶部と、前記操作コ
マンドを実行する制御部と、を備え、前記検出部は、前記タッチパネルに接触或いは近接
する検出物を検出し、当該検出物の特徴を解析して前記制御部に通知し、前記制御部は、
前記操作情報記憶部に記憶された前記操作情報を参照し、前記通知された当該検出物の特
徴に対応する前記操作コマンドを実行することを特徴とする電話端末である。
【０００７】
また、本発明は、上記に記載の発明において、前記検出部は、検出した前記検出物の接
触位置、接触面積、接触強度を前記検出物の特徴として解析することを特徴とする。
【０００８】
また、本発明は、上記に記載の発明において、前記操作情報記憶部には、前記タッチパ
ネルにユーザの耳を接触させた際の、接触位置、接触面積、接触強度を示す情報が前記特
徴として記憶されることを特徴とする。
【０００９】
また、本発明は、上記に記載の発明において、前記制御部は、電話着信があった際に、
前記通知された検出物の特徴に応じて、当該電話着信に応答する前記操作コマンドを実行
することを特徴とする。
【００１０】
また、本発明は、上記に記載の発明において、前記制御部は、電話が未接続である場合
に、前記通知された検出物の特徴に応じて、電話を発信する前記操作コマンドを実行する
ことを特徴とする。
【００１１】
また、本発明は、上記に記載の発明において、前記検出部は、前記タッチパネルに接触
或いは近接する前記検出物の移動を検出し、前記制御部は、前記検出部が前記検出物の移
動を検出した場合に、当該移動を示す前記検出物の特徴に対応した操作コマンドを実行す
ることを特徴とする。
【００１２】
また、本発明は、上記に記載の発明において、前記制御部は、通話中に、前記検出部に
前記検出物が検出されない時間が所定時間を超えると、前記通話を切断する前記操作コマ
ンドを実行することを特徴とする。
【００１３】
また、本発明は、検出物の特徴に対応した操作コマンドを操作情報として記憶する操作
情報記憶部を備えた端末装置の操作方法であって、タッチパネルを備える検出部が、前記
タッチパネルに接触或いは近接する検出物を検出し、前記検出物の特徴を解析するステッ
プと、制御部が、前記操作情報記憶部に記憶された前記操作情報を参照し、前記検出部に
よって検出された当該検出物の特徴に対応する前記操作コマンドを実行するステップと、
を備えることを特徴とする。
【００１４】
本発明によれば、端末装置の表示画面確認や操作コマンド入力を行うことなく、コマン
ドを実行することが可能となる。例えば、操作情報としてユーザの耳の形状を検出した場
合に登録先に発信すると記憶しておけば、ユーザは検出部に耳を当てるだけで登録先に発
信することが可能となる。
また、検出物の特徴としてユーザの耳など身体の一部を登録しておき、それに対応する
操作コマンドとして端末装置の操作を許可することを記憶させておけば、それ以外の検出
物の検出では端末装置の操作が許可されないため、本発明を利用して本人認証を行うこと
も可能である。
【図面の簡単な説明】
【００１５】
【図１】本発明の実施形態に係る電話端末の概略ブロック構成図である。
【図２】同実施形態に係る電話端末の操作情報登録処理の流れを示すフローチャートである。
【図３】同実施形態に係る電話端末に記憶される操作情報の一例を示す図である。
【図４】同実施形態に係る電話端末の判定処理の流れを示すフローチャートである。
【発明を実施するための形態】
【００１６】
以下に、添付図面を参照しながら、本発明の好適な実施形態について詳細に説明する。
本実施形態では、タッチパネル付電話端末として、タッチパネル付の携帯電話機を例に
説明する。
図１は、携帯電話１の概略構成図である。携帯電話１は、制御部１１、表示部１２、検
出部１３、記憶部１５、マイク部１６、スピーカー部１７、通信部１８を備える。
【００１７】
制御部１１は、ＣＰＵ（ＣＰＵ：Central Processing Unit）等であり、携帯電話１の
各部を制御するとともに、後述する操作情報の登録処理、判定処理を実行する。
表示部１２は、文字や画像等を表示する液晶ディスプレイ等である。検出部１３は、表
示部１２の文字等を認識する透明度を有し、表示体１２の表示画面全体にわたって設けら
れたタッチパネルを備える。検出部１３は、タッチパネルに接触または近接した検出物の
接触面位置（座標）、接触面積、接触強度等を検出し、その検出結果から検出物の形状や
動きといった特徴を解析する。この検出方式には静電容量方式等がある。なお、「近接」
とはタッチパネルで検出物が感知できる距離範囲内に検出物が入ることをいう。
【００１８】
記憶部１５は、ＲＯＭ（ＲＯＭ：Read Only Memory）、ＲＡＭ（ＲＡＭ：Random Acces
s Memory）といったメモリであり、操作情報２１、プログラム２３を記憶する。操作情報
２１は、ユーザ情報と検出部１３によって検出された検出物の特徴に対応して記憶された
操作コマンドに関する情報である。プログラム２３は、オペレーションシステム、操作情
報２１の登録処理プログラム、操作情報２１を用いた判定処理プログラム、携帯電話１用
の各種アプリケーションプログラム等である。制御部１１は、操作コマンドに従うなどし
てプログラム２３を実行する。
マイク部４は送話音声等を集音する。スピーカー部１７は受話音声等を出力する。通信
部１８は、基地局との間で音声通話、データ通信等の無線通信を行うためのアンテナ及び
通信回路である。
【００１９】
次に、携帯電話１の動作について説明する。
図２は、操作情報２１の登録処理の手順を示すフローチャートである。
図１に示す検出部１３は、登録対象となる検出物を検出し（ステップＳ１０１）、検出
物やその動きの特徴を解析し、検出情報として記憶部１５に記憶する（ステップＳ１０２
）。制御部１１は、その検出情報に対応するユーザと操作コマンドに関する情報を受け付
け、検出情報と対応付けて操作情報２１として記憶部１５に記憶する（ステップＳ１０３
）。
【００２０】
図３は、操作情報２１の一例を示す図である。
操作情報２１は、ユーザ情報、検出情報、操作コマンド等から構成される。ユーザ情報
は、ユーザを識別するための情報であり、例えば、ユーザの氏名、ユーザＩＤ等である。
検出情報は、検出部１３に検出物が接触もしくは近接した際に、検出部１３が検出し、解
析した、検出物の特徴である。制御部１１が登録処理プログラムを実行し、例えば、ユー
ザＡが検出部１３に耳を接触させた場合、検出部１３は、パネルへの耳の接触を感知し、
耳の接触範囲（位置座標）、接触面積（接触部１３のパネル全体に対する接触面積率など
も含む）、接触強度等を検出し、それらの検出結果からユーザＡの耳の形状を特徴として
解析し、検出情報として記憶部１５に記憶する。
【００２１】
検出情報の解析が終わると、制御部１１は、例えば表示部１２に対して入力受付画面を
表示し、検出部１３が検出した当該検出物と対応するユーザに関するユーザ情報と、検出
部１３がその検出物を検出した場合に実行する操作コマンドの入力を受け付ける。例えば
、制御部１１は、検出部１３が検出した耳の形状に対して、ユーザ情報として「ユーザＡ
」を、検出部１３が当該耳の形状を検出した場合の操作として「ＬＣＤ（Liquid Crystal
Display）をオフにして通話する」という操作の入力を受け付け、操作情報２１として記
憶部１５に記憶する。即ち、操作情報２１（図３の３１部）として、「検出部１３がユー
ザＡの耳の形状を検出したら、携帯電話のＬＣＤをオフにして通話を開始する」という操
作が記憶される。ここで、「通話を開始する」とは、例えば、電話着信があった際に電話
着信に応答して通話する操作であっても良いし、電話が未接続である場合に、定められた
宛先の電話番号に対して発信を行う操作であっても良い。
【００２２】
図３を用いて、他の操作情報２１の例を説明する。
検出部１３は、検出物の接触範囲（位置座標）、接触面積、接触強度等を検出すること
で検出物の動きを検出し、検出情報として登録することが可能である。これにより、例え
ば、図３の３２部、３３部に示すように「検出部１３がユーザＡの耳の形状を検出し、耳
の上への動きを検出した場合、受話音量を大きくする」、「検出部１３がユーザＡの耳の
形状を検出し、耳の下への動きを検出した場合、携帯電話１の受話音量を小さくする」と
いった検出物の動きを用いた操作情報２１を登録することが可能である。
【００２３】
また、操作情報２１における検出情報として、検出情報を組み合わせて記憶させること
も可能である。例えば、「検出部１３がユーザＡの耳の形状を検出」という検出情報と「
検出部１３がユーザＡの顎の形状を検出」という検出情報とを組み合わせて検出情報とし
、図３の３４部に示すように、「検出部１３がユーザＡの耳の形状を検出した後、ユーザ
Ａの顎の形状を検出した場合、通話の録音を実行する」といった操作情報２１を登録する
ことが可能である。
【００２４】
また、検出情報を利用して本人認証を行うこともできる。例えば、操作情報２１として
図３の３５部に示すように、「検出部１３がユーザＢの耳の形状を検出した場合、携帯電
話のロックを解除する」と登録しておけば、検出部１３がユーザＢの耳の形状を検出した
場合のみに、携帯電話１はロックを解除する。即ち、検出部１３が検出したユーザＢの耳
の形状により本人認証を行い、操作を許可することになる。従って、携帯電話をロックせ
ずに放置した場合でも本人以外は使用できないため、ロック設定、解除といった操作が必
要なくなる。
【００２５】
また、検出情報として身体以外のものを登録することも可能である。例えば、図３の３
７部に示すように、検出情報としてペット（介助犬）の犬の足の形状を記憶しておき、操
作情報２１として「着信時に検出部１３がペットの犬の前足の形状を検出した場合、ハン
ズフリーで通話する」と登録することも可能である。これにより、ユーザが携帯電話１を
手に取れない場合、或いは携帯電話１の操作が困難である身障者や年配者子供なども安全
に携帯電話１を操作することができ、逆にその操作を制御することも可能となる。
【００２６】
また、検出情報として携帯電話１のユーザの癖を登録しておくことも可能である。例え
ば、ユーザＡは通話中に検出部１３のパネル表面を持ち手の指でたたく癖がある場合、操
作情報２１として「検出部１３が、ユーザＡが通話中に検出部１３表面を指によってたた
くことを検出しても、何もしない」と登録することによって、癖の検出による誤動作を防
ぐことも可能である。
この他にも、例えば、通話中に、検出部１３に検出物が検出されない時間が所定時間を
超えると、通話を切断する操作コマンドを実行するようにしても良い。
【００２７】
図４は、携帯電話１による判定処理の流れを示すフローチャートである。
検出部１３は、検出物を検出し（ステップＳ２０１）、検出した検出物とその動きの特
徴を解析する（ステップＳ２０２）。制御部１１は、操作情報２１を参照し（ステップＳ
２０３）、検出部１３によって解析された検出物の特徴と操作情報２１の検出情報と一致
するかどうかを判定する（ステップＳ２０４）。
【００２８】
検出部１３によって解析された検出物の特徴と操作情報２１の検出情報とが一致する場
合（ステップＳ２０４で「Ｙｅｓ」）、制御部１１は、当該検出情報に対応して記憶され
た操作コマンドを実行する（ステップＳ２０５）。検出部１３によって解析された検出物
の特徴と操作情報２１の検出情報とが一致しない場合（ステップＳ２０４で「Ｎｏ」）、
制御部１１は、処理を中止する。
【００２９】
例えば、ユーザＢが携帯電話１の検出部１３に顎をあてた場合、検出部１３は、検出物
である顎の接触範囲（位置座標）、接触面積、接触強度等を検出し、その検出物の形状を
特徴として解析し、制御部１１に通知する。制御部１１は、図３に示す操作情報２１を参
照し、検出物の特徴と図３に示す操作情報２１の検出情報が一致するかどうかを判定する
。制御部１１は、検出物の特徴がユーザＢの顎の形状と一致すると判定した場合、図３の
３６部に示す操作情報２１に従って登録先番号「０９０−ＸＸＸＸ−ＹＹＹＹ」に発信す
る。
【００３０】
以上のように、本実施の形態によれば、検出部１３（タッチパネル）接触した検出物の
特徴を検出することで、本人認証やコマンド実行を行うことが可能である。これにより、
画面の確認作業、コマンド入力作業、操作入力等の入力が不要となるため、誤入力などを
防ぐことができる。
【符号の説明】
【００３１】
１………携帯電話
１１………制御部
１２………表示部
１３………検出部
１５………記憶部
１６………マイク部
１７………スピーカー部
１８………通信部
２１………操作情報
【図１】
2011205417.tif 000003
【図２】
2011205417.tif 000004
【図３】
2011205417.tif 000005
【図４】
2011205417.tif 000006